(57)【要約】【課題】濁りや分離が抑制され、シャンプーやボディシャンプー等の洗浄剤としての用途に適した粘度とすることができる洗浄剤組成物を提供する。【解決手段】本発明の洗浄剤組成物は、下記の成分（Ａ）〜（Ｄ）：（Ａ）（ポリ）オキシアルキレンアルキルまたはアルケニルエーテルリン酸塩（Ｂ）両性界面活性剤（Ｃ）天然由来カチオン性ポリマーおよび（Ｎ,Ｎ−ジメチル−３，５−メチレンピペリジウムクロリド）−アクリルアミド共重合体から選ばれる少なくとも１種、および（Ｄ）脂肪酸アルカノールアミドを含有し、前記成分（Ａ）はアニオン性界面活性剤の全量に対して１０質量％以上であり、前記成分（Ａ）と前記成分（Ｃ）との質量比（Ａ：Ｃ）が１：１〜９９：１であることを特徴としている。【選択図】なし【特許請求の範囲】
【請求項１】
下記の成分（Ａ）〜（Ｄ）：
（Ａ）（ポリ）オキシアルキレンアルキルまたはアルケニルエーテルリン酸塩
（Ｂ）両性界面活性剤
（Ｃ）天然由来カチオン性ポリマーおよび（Ｎ,Ｎ−ジメチル−３，５−メチレンピペリジウムクロリド）−アクリルアミド共重合体から選ばれる少なくとも１種、および
（Ｄ）脂肪酸アルカノールアミド
を含有し、
前記成分（Ａ）はアニオン性界面活性剤の全量に対して１０質量％以上であり、
前記成分（Ａ）と前記成分（Ｃ）との質量比（Ａ：Ｃ）が１：１〜９９：１である洗浄剤組成物。
【請求項２】
さらに成分（Ｅ）としてＮ−アシルアミノ酸系界面活性剤を含有する請求項１に記載の洗浄剤組成物。
【発明の詳細な説明】
【技術分野】
【０００１】
本発明は、洗浄剤組成物に関する。
【背景技術】
【０００２】
洗浄剤組成物、例えばヘアシャンプー等の毛髪処理組成物は、製品外観や性能発現のために、その配合時には外観の濁りや分離がないことが求められる。  従来、洗浄剤組成物には、リン酸エステル塩等のアニオン性界面活性剤、両性界面活性剤、カチオン性ポリマー等のイオン性成分が配合されている。これらは洗浄特性等の点から組み合わせて配合される場合もあるが、これらのイオン性成分を組み合わせて配合した際に、外観の濁りや分離がなく、さらにシャンプーやボディシャンプー等の洗浄剤としての用途に適した粘度に調整することは、配合成分の組み合わせによってこれらの傾向が異なり容易でない。
【０００３】
従来、アニオン性界面活性剤としてリン酸エステル塩を配合し、上記のような異種の界面活性剤を配合した洗浄剤組成物として、次の技術が提案されている。  特許文献１〜３は、合成カチオン性ポリマー、例えばポリジメチルジアリルアンモニウム塩型陽イオン性高分子化合物（特許文献１）、カチオン性ビニル系単量体とビニル系単量体を含む共重合体（特許文献２）、ポリエチレンイミン（特許文献３）を配合することが開示されているが、これらは配合物の粘度が出難い。またポリエチレンイミン等は配合物が濁る場合もある。
【０００４】
また特許文献１のようにアルキルリン酸エステル塩を用いると配合物が濁る傾向があり、特許文献３、４のように硫酸エステル塩を主基材として用いると粘度が出難くなる。
【０００５】
ポリオキシエチレンアルキルエーテルリン酸エステル塩、両性活性剤、および天然由来カチオン性ポリマーを含む洗浄剤組成物として、特許文献５、６が開示されている。これらの組み合わせは、例えばヘアシャンプー等の毛髪処理組成物においてコンディショニング性を得るのに適しているが、外観の濁りや分離がないことに加え、使用に適した粘度に増粘するように調整することは困難であった。
【先行技術文献】
【特許文献】
【０００６】
【特許文献１】特開平４−１０８７２４号公報
【特許文献２】特開２００８−１７９５６５号公報
【特許文献３】特開昭５５−０２９５６３号公報
【特許文献４】特開昭５６−９５９９４号公報
【特許文献５】特開平４−２１１００９号公報
【特許文献６】特開２００４−００２６３２号公報
【発明の概要】
【発明が解決しようとする課題】
【０００７】
本発明は、以上の事情に鑑みてなされたものであり、濁りや分離が抑制され、シャンプーやボディシャンプー等の洗浄剤としての用途に適した粘度とすることができる洗浄剤組成物を提供することを課題としている。
【課題を解決するための手段】
【０００８】
上記の課題を解決するために、本発明の洗浄剤組成物は、下記の成分（Ａ）〜（Ｄ）：
（Ａ）（ポリ）オキシアルキレンアルキルまたはアルケニルエーテルリン酸塩
（Ｂ）両性界面活性剤
（Ｃ）天然由来カチオン性ポリマーおよび（Ｎ,Ｎ−ジメチル−３，５−メチレンピペリジウムクロリド）−アクリルアミド共重合体から選ばれる少なくとも１種、および
（Ｄ）脂肪酸アルカノールアミド
を含有し、
前記成分（Ａ）はアニオン性界面活性剤の全量に対して１０質量％以上であり、
前記成分（Ａ）と前記成分（Ｃ）との質量比（Ａ：Ｃ）が１：１〜９９：１であることを特徴としている。
【発明の効果】
【０００９】
本発明の洗浄剤組成物によれば、濁りや分離が抑制され、シャンプーやボディシャンプー等の洗浄剤としての用途に適した粘度とすることができる。
【発明を実施するための形態】
【００１０】
以下に、本発明を詳細に説明する。
【００１１】
本発明の洗浄剤組成物に使用される（ポリ）オキシアルキレンアルキルまたはアルケニルエーテルリン酸塩（Ａ）（以下、成分（Ａ）とも言う。）としては、例えば、次の式（Ｉ）で表されるリン酸モノエステル塩、式（ＩＩ）で表されるリン酸ジエステル塩、式（ＩＩＩ−１）または式（ＩＩＩ−２）で表されるポリリン酸塩等が挙げられる。
【００１２】
【化１】
2020059848.tif 000002
【００１３】
【化２】
2020059848.tif 000003
【００１４】
【化３】
2020059848.tif 000004
【００１５】
（上記式中、Ｒはアルキル基またはアルケニル基、ＡＯはオキシアルキレン基（Ａはアルキレン部位）を示し、Ｍはカチオンを示し、ｎは（ポリ）オキシアルキレンの平均付加モル数、ｐは２以上の整数を示す。各式中におけるＲおよびＭが複数の場合、その各々は同一でも互いに異なっていてもよい。ＡＯは、各々が同一であっても互いに異なっていてもよい。）
（ポリ）オキシアルキレンアルキルまたはアルケニルエーテルリン酸塩（Ａ）におけるリン酸モノエステル塩の含有量は、４０質量％以上が好ましく、５５質量％以上がより好ましい。リン酸モノエステル塩とリン酸ジエステル塩との質量比（リン酸モノエステル塩：リン酸ジエステル塩）は、４０：６０〜９０：１０が好ましく、５５：４５〜７５：２５がより好ましい。
【００１６】
リン酸モノエステル塩、リン酸ジエステル塩等の混合物である（ポリ）オキシアルキレンアルキルまたはアルケニルエーテルリン酸塩（Ａ）は、例えば、（ポリ）オキシアルキレンアルキルまたはアルケニルエーテルと無水リン酸を反応させることにより得られる（ポリ）オキシアルキレンアルキルまたはアルケニルエーテルリン酸を、水酸化カリウム等のアルカリで中和することにより得ることができる。
【００１７】
（ポリ）オキシアルキレンアルキルまたはアルケニルエーテルリン酸塩（Ａ）におけるオキシアルキレン基は、炭素数２〜４が好ましく、炭素数２〜３がより好ましく、炭素数２がさらに好ましい。その中でも、各々が同一であっても互いに異なっていてもよいオキシアルキレン基の全体において、オキシエチレン基を含んでいることが好ましい。その中でも、全てのオキシアルキレン基がオキシエチレン基のみからなるもの、オキシエチレン基とオキシプロピレン基が混在しているものがより好ましく、全てのオキシアルキレン基がオキシエチレン基のみからなるものがさらに好ましい。オキシアルキレン基に炭素数の異なる複数種が混在している場合、例えばオキシエチレン基とオキシプロピレン基が混在している場合、これらはランダム状に混在していてもよく、ブロック状に混在していてもよい。
【００１８】
（ポリ）オキシアルキレンアルキルまたはアルケニルエーテルリン酸塩（Ａ）におけるアルキル基またはアルケニル基Ｒの炭素数は、特に限定されるものではないが、４〜２２が好ましく、８〜１８がより好ましく、１０〜１６がさらに好ましく、１０〜１４が特に好ましい。
【００１９】
アルキル基またはアルケニル基Ｒにおけるアルキル基としては、例えば、ブチル基、ヘキシル基、２−エチルヘキシル基、オクチル基、ノニル基、デシル基、ウンデシル基、ドデシル基（ラウリル基）、トリデシル基、テトラデシル基、ペンタデシル基、ヘキサデシル基、ヘプタデシル基、オクタデシル基、ノナデシル基、イコシル基、へンイコシル基、ドコシル基等が挙げられる。成分（Ａ）は、アルキル基Ｒとして互いに異なるアルキル基を有する化合物の混合物であってもよく、この場合、上記アルキル基Ｒの炭素数は、平均炭素数である。なお、上記ブチル基からドコシル基までの各々は、ｎ−、ｓｅｃ−、ｔｅｒｔ−、ｉｓｏ−等の各種異性体を含む。これらの中でも、直鎖のアルキル基が好ましい。
【００２０】
アルキル基またはアルケニル基Ｒにおけるアルケニル基としては、例えば、ブテニル基、ヘキセニル基、オクテニル基、ノネニル基、デセニル基、ウンデセニル基、ドデセニル基、トリドデセニル基、テトラドデセニル基、ペンタデセニル基、ヘキサデセニル基、ヘプタデセニル基、オクタデセニル基（オレイル基）、ノナデセニル基、イコセニル基、ヘンイコセニル基、ドコセニル基等が挙げられる。成分（Ａ）は、アルケニル基Ｒとして互いに異なるアルケニル基を有する化合物の混合物であってもよく、この場合、上記アルケニル基Ｒの炭素数は、平均炭素数である。
【００２１】
アルキル基またはアルケニル基Ｒが、ヤシ油、パーム油、パーム核油、大豆油、ナタネ油、オリーブ油、牛脂、豚脂、魚油等の天然物の油脂に由来するアルキル基またはアルケニル基である場合、成分（Ａ）は、アルキル基またはアルケニル基Ｒとして互いに異なるアルキル基またはアルケニル基を有する化合物の混合物であってもよく、この場合、上記アルキル基またはアルケニル基Ｒの炭素数は、平均炭素数である。
【００２２】
（ポリ）オキシアルキレンアルキルまたはアルケニルエーテルリン酸塩（Ａ）における（ポリ）オキシアルキレンの平均付加モル数ｎは、前記各式中におけるＲＯ（ＡＯ）ｎが複数の場合はそれぞれ独立に、０．２５以上が好ましく、０．５以上がより好ましく、１以上がさらに好ましく、２以上が特に好ましい。また、起泡性や洗浄性を考慮すると、３０以下が好ましく、２０以下がより好ましく、１０以下がさらに好ましく、６以下が特に好ましい。
【００２３】
（ポリ）オキシアルキレンアルキルまたはアルケニルエーテルリン酸塩（Ａ）におけるカチオンＭとしては、特に限定されるものではないが、例えば、水素、アルカリ金属、アルカリ土類金属、マグネシウム、アンモニウム基、有機アンモニウム基等が挙げられる。アルカリ金属としては、例えば、リチウム、ナトリウム、カリウム等が挙げられる。アルカリ土類金属としては、例えば、カルシウム等が挙げられる。有機アンモニウム基としては、例えば、ＮＲ１Ｒ２Ｒ３Ｒ４で表される基が挙げられる。ここでＲ１〜Ｒ４はそれぞれ独立に、水素原子、ヒドロキシ基を含んでもよいアルキル基もしくはアルキレン基、またはポリオキシアルキレン基を示す。これらの中でも、ナトリウムおよびカリウムから選ばれるいずれかのアルカリ金属、アンモニウム基、炭素数２０以下、好ましくは１０以下、より好ましくは５以下のアルキル基もしくはヒドロキシアルキル基を有する有機アンモニウム基が好ましく、カリウム、炭素数２０以下、好ましくは１０以下、より好ましくは５以下のアルキル基もしくはヒドロキシアルキル基を有する有機アンモニウム基が特に好ましい。ヒドロキシアルキル基としては、特に限定されないが、例えばヒドロキシメチル基、ヒドロキシエチル基、ヒドロキシプロピル基、ヒドロキシブチル基、ヒドロキシペンチル基等が挙げられる。
【００２４】
（ポリ）オキシアルキレンアルキルまたはアルケニルエーテルリン酸塩（Ａ）の好ましい具体例としては、次のものが挙げられる。なお、括弧内の数字は、ポリオキシエチレン（ＰＯＥ）単位の数を示す。
【００２５】
ポリオキシエチレンデシルエーテルリン酸塩（ＰＯＥ（１）〜ＰＯＥ（２０））、ポリオキシエチレンウンデシルエーテルリン酸塩（ＰＯＥ（１）〜ＰＯＥ（２０））、ポリオキシエチレンラウリル（ドデシル）エーテルリン酸塩（ＰＯＥ（１）〜ＰＯＥ（２０））、ポリオキシエチレントリデシルエーテルリン酸塩（ＰＯＥ（１）〜ＰＯＥ（２０））、ポリオキシエチレンテトラデシルエーテルリン酸塩（ＰＯＥ（１）〜ＰＯＥ（２０））、ポリオキシエチレンペンタデシルエーテルリン酸塩（ＰＯＥ（１）〜ＰＯＥ（２０））、ポリオキシエチレンヘキサデシルエーテルリン酸塩（ＰＯＥ（１）〜ＰＯＥ（２０））、ポリオキシエチレンヘプタデシルエーテルリン酸塩（ＰＯＥ（１）〜ＰＯＥ（２０））、ポリオキシエチレンオクタデシルエーテルリン酸塩（ＰＯＥ（１）〜ＰＯＥ（２０））。
【００２６】
（ポリ）オキシエチレンアルキルまたはアルケニルエーテルリン酸塩（Ａ）としては、アルキル基Ｒや（ポリ）オキシエチレンの平均付加モル数ｎが互いに異なる２種以上の（ポリ）オキシエチレンアルキルまたはアルケニルエーテルリン酸塩を併用してもよい。
【００２７】
本発明の洗浄剤組成物における（ポリ）オキシアルキレンアルキルまたはアルケニルエーテルリン酸塩（Ａ）の含有量は、組成物全量に対して１質量％以上が好ましく、２質量％以上がより好ましく、３質量％以上がさらに好ましい。また、組成物全量に対して４０質量％以下が好ましく、１５質量％以下がより好ましく、１３質量％以下がさらに好ましい。
【００２８】
本発明の洗浄剤組成物に使用される両性界面活性剤（Ｂ）（以下、成分（Ｂ）とも言う。）としては、特に限定されるものではないが、例えば、アミドベタイン型両性界面活性剤、アルキルベタイン型両性界面活性剤、スルホベタイン型両性界面活性剤、ホスホベタイン型両性界面活性剤、イミダゾリニウムベタイン型両性界面活性剤、アルキルアミンオキサイド型両性界面活性剤、リン酸エステル型両性界面活性剤等が挙げられる。これらは１種単独で使用してもよく、２種以上を併用してもよい。これらの両性界面活性剤（Ｂ）における長鎖アルキル基の平均炭素数は、４〜２２が好ましく、８〜１８がより好ましい。
【００２９】
アミドベタイン型両性界面活性剤としては、例えば、アルキルアミドプロピルベタイン等が挙げられる。アルキルアミドプロピルベタインとしては、例えば、ラウリン酸アミドプロピルベタイン、ヤシ油脂肪酸アミドプロピルベタイン（コカミドプロピルベタイン）、パーム核油脂肪酸アミドプロピルベタイン、イソステアラミドプロピルベタイン等が挙げられる。これらは１種単独で使用してもよく、２種以上を併用してもよい。これらの中でも、ラウリン酸アミドプロピルベタイン、ヤシ油脂肪酸アミドプロピルベタイン、パーム核油脂肪酸アミドプロピルベタインが好ましく、ヤシ油脂肪酸アミドプロピルベタイン、パーム核油脂肪酸アミドプロピルベタインがより好ましい。
【００３０】
アルキルベタイン型両性界面活性剤としては、例えば、アルキルジメチルアミノ酢酸ベタイン等が挙げられる。アルキルジメチルアミノ酢酸ベタインとしては、例えば、ラウリルジメチルアミノ酢酸ベタイン、ミリスチルジメチルアミノ酢酸ベタイン、ステアリルジメチルアミノ酢酸ベタイン等が挙げられる。これらは１種単独で使用してもよく、２種以上を併用してもよい。これらの中でも、ラウリルジメチルアミノ酢酸ベタインが好ましい。
【００３１】
スルホベタイン型両性界面活性剤としては、例えば、ヒドロキシスルホベタイン型両性界面活性剤、アルキルアミノジメチルスルホプロピルベタイン型両性界面活性剤等が挙げられる。ヒドロキシスルホベタイン型両性界面活性剤としては、例えば、ヤシ油脂肪酸ジメチルアミノヒドロキシスルホベタイン、ラウリルヒドロキシスルホベタイン等が挙げられる。アルキルアミノジメチルスルホプロピルベタイン型両性界面活性剤としては、例えば、ドデシルアミノジメチルスルホプロピルベタイン、オクタデシルアミノジメチルスルホプロピルベタイン等が挙げられる。これらは１種単独で使用してもよく、２種以上を併用してもよい。これらの中でも、ラウリルヒドロキシスルホベタインが好ましい。
【００３２】
ホスホベタイン型両性界面活性剤としては、例えば、アルキルヒドロキシホスホベタイン等が挙げられる。アルキルヒドロキシホスホベタインとしては、例えば、ラウリルヒドロキシホスホベタイン、ミリスチルヒドロキシホスホベタイン、ステアリルヒドロキシホスホベタイン等が挙げられる。これらは１種単独で使用してもよく、２種以上を併用してもよい。
【００３３】
イミダゾリニウムベタイン型両性界面活性剤としては、例えば、ヤシ油アルキル−Ｎ−ヒドロキシエチルイミダゾリニウムベタイン、ヤシ油アルキル−Ｎ−カルボキシエチル−Ｎ−ヒドロキシエチルイミダゾリニウムベタイン、２−アルキル−Ｎ−カルボキシメチル−Ｎ−ヒドロキシエチルイミダゾリニウムベタイン等が挙げられる。これらは１種単独で使用してもよく、２種以上を併用してもよい。これらの中でも、２−アルキル−Ｎ−カルボキシメチル−Ｎ−ヒドロキシエチルイミダゾリニウムベタインが好ましい。
【００３４】
アルキルアミンオキサイド型両性界面活性剤としては、例えば、ラウリルジメチルアミンＮ−オキサイド、オレイルジメチルアミンＮ−オキサイド、ラウリン酸アミドプロピルジメチルアミンＮ−オキサイド等が挙げられる。これらは１種単独で使用してもよく、２種以上を併用してもよい。
【００３５】
本発明の洗浄剤組成物において、両性界面活性剤（Ｂ）は、アミドベタイン型両性界面活性剤、スルホベタイン型両性界面活性剤、イミダゾリウムベタイン型両性界面活性剤が好ましく、アミドベタイン型両性界面活性剤がより好ましい。アミドベタイン型両性界面活性剤を配合する場合、その含有量は、両性界面活性剤（Ｂ）の全量に対して５０質量％以上が好ましく、７０質量％以上がより好ましく、７５質量％以上がさらに好ましく、８０質量％以上が特に好ましく、９５質量％以上が特に好ましい。
【００３６】
本発明の洗浄剤組成物における両性界面活性剤（Ｂ）の含有量は、組成物全量に対して０．１質量％以上が好ましく、０．５質量％以上がより好ましく、１質量％以上がさらに好ましい。また、組成物全量に対して３０質量％以下が好ましく、８質量％以下がより好ましく、５質量％以下がさらに好ましい。
【００３７】
本発明の洗浄剤組成物に使用される天然由来カチオン性ポリマーおよび（Ｎ,Ｎ−ジメチル−３，５−メチレンピペリジウムクロリド）−アクリルアミド共重合体から選ばれる少なくとも１種（Ｃ）（以下、成分（Ｃ）とも言う。）のうち、天然由来カチオン性ポリマー（Ｃ）は、天然物を原料として、分離、精製等の工程を経て得られるポリマーをカチオン化したものである。具体的には、多糖類やその誘導体等が挙げられ、天然高分子以外に、半合成高分子と称されるものが含まれる。カチオン性基としては、塩化グリシジルトリメチルアンモニウムや３−クロロ−２−ヒドロキシプロピルトリメチルアンモニウム等を反応させたものが挙げられ、例えば、塩化Ｏ−[２−ヒドロキシ−３−（トリメチルアンモニオ）プロピル]基等の第４級アンモニウム含有基等が挙げられる。
【００３８】
天然由来カチオン性ポリマー（Ｃ）は、分子内にカチオン性基を有する水溶性ポリマーであれば特に限定されるものではないが、例えば、多糖類に第４級窒素含有基を導入したカチオン性ポリマーが挙げられ、具体的には、カチオン化デンプン、カチオン化セルロース、カチオン化ヒドロキシエチルセルロース、カチオン化グアーガム、カチオン化ローカストビーンガム、カチオン化タマリンドガム、カチオン化タラガム、カチオン化フェヌクリークガム等が挙げられる。これらは１種単独で使用してもよく、２種以上を組み合わせて使用してもよい。これらの中でも、カチオン化ヒドロキシエチルセルロース、カチオン化グアーガム、カチオン化ローカストビーンガムが好ましい。
【００３９】
カチオン化デンプンを構成するデンプンとしては、馬鈴薯デンプン、タピオカデンプン、トウモロコシデンプン（コーンスターチ）、小麦デンプン等が挙げられる。
【００４０】
カチオン化ヒドロキシエチルセルロースとしては、例えば、東邦化学工業社製のカチナールＨＣ−１００（分子量３５万；カチオン化度１．０〜２．０質量％）、カチナールＨＣ−２００（分子量１６０万；カチオン化度１．０〜２．０質量％）、カチナールＬＣ−１００（分子量３５万；カチオン化度０．５〜１．５質量％）、カチナールＬＣ−２００（分子量２００万；カチオン化度０．５〜１．５質量％）、カチナールＰＣ−１００（分子量１２０万）、カチナールＨＣ−３５（分子量１２万）、花王社製のポイズＣ−６０Ｈ（分子量６０万；カチオン化度１．５〜２．５質量％）、ポイズＣ−１５０Ｌ（分子量１５０万；カチオン化度１．０〜１．５質量％）、ライオン社製のレオガードＧ、レオガードＧＰ（カチオン化度１．８質量％）、レオガードＭＧＰ（カチオン化度１．８質量％）、レオガードＭＬＰ（カチオン化度０．６質量％）、レオガードＬＰ（カチオン化度１．０質量％）、レオガードＫＧＰ（カチオン化度１．８質量％）等の市販品を使用することができる。
【００４１】
カチオン化グアーガムとしては、例えば、東邦化学工業社製のカチナールＣＴＲ−１００、カチナールＣＧ−１００、ローディア社製のＪＡＧＵＡＲ  ＥＸＣＥＬ（カチオン化度１．６質量％）、ＪＡＧＵＡＲ  Ｃ−１３Ｓ（カチオン化度１．４質量％）、ＪＡＧＵＡＲ  Ｃ−１４Ｓ、ＪＡＧＵＡＲ  Ｃ−１７（カチオン化度１．９質量％）、ＪＡＧＵＡＲ  Ｃ−５００、ＪＡＧＵＡＲ  ＯＰＴＩＭＡ、ＪＡＧＵＡＲ  Ｃ−１６２、ＪＡＧＵＡＲ  ＬＳ等の市販品を使用することができる。
【００４２】
カチオン化ローカストビーンガムとしては、例えば、東邦化学工業社製のカチナールＣＬＢ−１００（ローカストビーンヒドロキシプロピルトリモニウムクロリド）等の市販品を使用することができる。
【００４３】
カチオン化タマリンドガムとしては、例えば、東邦化学工業社製のカチナールＣＴＭ−２００Ｓ等の市販品を使用することができる。
【００４４】
カチオン化タラガムとしては、例えば、東邦化学工業社製のカチナールＣＴＲ−１００、カチナールＣＴＲ−２００（カエサルピニアスピノサヒドロキシプロピルトリモニウムクロリド）等を使用することができる。
【００４５】
カチオン化フェヌグリークガムとしては、例えば、東邦化学工業社製のカチナールＣＦ−１００（コロハヒドロキシプロピルトリモニウムクロリド）等を使用することができる。
【００４６】
上記においてカチオン化度は、天然由来カチオン性ポリマー（Ｃ）における窒素含有質量の百分率を意味する。
【００４７】
天然由来カチオン性ポリマー（Ｃ）におけるカチオン化度は、特に限定されるものではないが、０．１〜３．０質量％が好ましく、０．５〜２．５質量％がより好ましく、１．０〜２．０質量％がさらに好ましい。
【００４８】
本発明の洗浄剤組成物に使用される成分（Ｃ）のうち、（Ｎ,Ｎ−ジメチル−３，５−メチレンピペリジウムクロリド）−アクリルアミド共重合体としては、例えば、ルーブリゾール社製のマーコート５５０、マーコート５５０Ｌ、マーコート５５０ＰＲ、マーコート７４０、マーコートＳ、マーコート７ＳＰＲ、マーコート２２００等の市販品を使用することができる。
【００４９】
本発明の洗浄剤組成物における成分（Ｃ）の含有量は、組成物全量に対して０．０１質量％以上が好ましく、０．０５質量％以上がより好ましく、０．１質量％以上がさらに好ましい。また、組成物全量に対して５質量％以下が好ましく、２質量％以下がより好ましく、１．５質量％以下がさらに好ましい。
【００５０】
本発明の洗浄剤組成物に使用される脂肪酸アルカノールアミド（Ｄ）（以下、成分（Ｄ）とも言う。）としては、一般に非イオン性界面活性剤として使用されているものを使用してもよい。成分（Ｄ）としては、例えば、脂肪酸アルカノールアミド、脂肪酸アルキルアルカノールアミド、ポリオキシアルキレン脂肪酸アルカノールアミド等が挙げられ、これらは１種単独で使用してもよく、２種以上を併用してもよい。
【００５１】
脂肪酸アルカノールアミドとしては、例えば、カプリル酸モノエタノールアミド、カプリン酸モノエタノールアミド、ラウリン酸モノエタノールアミド、ラウリン酸ジエタノールアミド、ラウリン酸モノプロパノールアミド、ラウリン酸ジプロパノールアミド、ラウリン酸モノイソプロパノールアミド、ラウリン酸ジイソプロパノールアミド、ミリスチン酸ジエタノールアミド、パルミチン酸モノエタノールアミド、ヤシ油脂肪酸モノエタノールアミド、ヤシ油脂肪酸ジエタノールアミド、ヤシ油脂肪酸モノプロパノールアミド、ヤシ油脂肪酸ジプロパノールアミド、ヤシ油脂肪酸モノイソプロパノールアミド、ヤシ油脂肪酸ジイソプロパノールアミド、パーム核油脂肪酸モノエタノールアミド、パーム核油脂肪酸ジエタノールアミド、ステアリン酸モノエタノールアミド、ステアリン酸ジエタノールアミド、オレイン酸モノエタノールアミド、オレイン酸ジエタノールアミド等が挙げられる。
【００５２】
脂肪酸アルキルアルカノールアミドとしては、例えば、カプリル酸Ｎ−メチルエタノールアミド、カプリン酸Ｎ−メチルエタノールアミド、ラウリン酸Ｎ−メチルエタノールアミド、ラウリン酸Ｎ−エチルエタノールアミド、ラウリン酸Ｎ−メチルプロパノールアミド、ラウリン酸Ｎ−エチルプロパノールアミド、ラウリン酸Ｎ−メチルイソプロパノールアミド、ラウリン酸Ｎ−エチルイソプロパノールアミド、ミリスチン酸Ｎ−メチルエタノールアミド、パルミチン酸Ｎ−メチルエタノールアミド、ヤシ油脂肪酸Ｎ−メチルエタノールアミド、ヤシ油脂肪酸Ｎ−エチルエタノールアミド、ヤシ油脂肪酸Ｎ−メチルプロパノールアミド、ヤシ油脂肪酸Ｎ−エチルプロパノールアミド、ヤシ油脂肪酸Ｎ−メチルイソプロパノールアミド、ヤシ油脂肪酸Ｎ−エチルイソプロパノールアミド、パーム核油脂肪酸Ｎ−メチルエタノールアミド、パーム核油脂肪酸Ｎ−エチルエタノールアミド、ステアリン酸Ｎ−メチルエタノールアミド、ステアリン酸Ｎ−エチルエタノールアミド、オレイン酸Ｎ−メチルエタノールアミド、オレイン酸Ｎ−エチルエタノールアミド等が挙げられる。
【００５３】
ポリオキシアルキレン脂肪酸アルカノールアミドとしては、ポリオキシエチレンラウリン酸モノエタノールアミド、ポリオキシエチレンヤシ油脂肪酸モノエタノールアミド、ポリオキシプロピレンヤシ油脂肪酸モノイソプロパノールアミド、ポリオキシプロピレンミリスチン酸モノエタノールアミド、ポリオキシエチレンステアリン酸モノエタノールアミド等が挙げられる。
【００５４】
これらの中でも、ラウリン酸モノエタノールアミド、ラウリン酸ジエタノールアミド、ヤシ油脂肪酸モノエタノールアミド、ヤシ油脂肪酸ジエタノールアミド、ヤシ油脂肪酸Ｎ−メチルエタノールアミド、ポリオキシプロピレンヤシ油脂肪酸モノイソプロパノールアミドが好ましく、ヤシ油脂肪酸モノエタノールアミド、ヤシ油脂肪酸ジエタノールアミド、ヤシ油脂肪酸Ｎ−メチルエタノールアミド、ポリオキシプロピレンヤシ油脂肪酸モノイソプロパノールアミドがより好ましい。
【００５５】
脂肪酸ジエタノールアミドを含むジエタノールアミン誘導体は、アミノ基が経時や加熱などにより一部発がん性のニトロソアミン類に変化することが知られており、安全性の観点からジエタノールアミン誘導体よりモノエタノールアミン誘導体が好適である。この安全性の点から本発明の成分（Ｄ）としては、脂肪酸モノエタノールアミドが好ましく使用でき、例えば、ヤシ油脂肪酸モノエタノールアミド、ラウリン酸モノエタノールアミド等が使用できる。
【００５６】
本発明の洗浄剤組成物における脂肪酸アルカノールアミド（Ｄ）の含有量は、組成物全量に対して０．１質量％以上が好ましく、０．５質量％以上がより好ましく、１．０質量％以上がさらに好ましい。また、組成物全量に対して２０質量％以下が好ましく、１０質量％以下がより好ましく、５質量％以下がさらに好ましい。
【００５７】
本発明の洗浄剤組成物は、成分（Ａ）、（Ｂ）、（Ｃ）を含有することによって、毛髪処理組成物として用いた場合等にはコンディショニング性に優れる。例えば、互いに正負反対の電荷を持つ異種の界面活性剤は、洗髪時から濯ぎ時にかけて、コアセルベートと称される不溶性コンプレックスを生成する。本発明の洗浄剤組成物は、濯ぎ後においてもコアセルベートの毛髪への残存量が適度で、コンディショニング性に優れる。その他の洗浄剤用に用いた場合にも、洗浄性、濯ぎ時の肌のなめらかさ、洗浄および乾燥後の肌のしっとり感等に優れる。
【００５８】
さらに本発明の洗浄剤組成物は、成分（Ｄ）を含有する。成分（Ａ）〜（Ｄ）を含有する本発明の洗浄剤組成物は、濁りや分離が抑制され、シャンプーやボディシャンプー等の洗浄剤としての用途に適した粘度とすることができる。洗浄剤組成物の粘度としては、例えば、５〜２５質量％水溶液の粘度（２５℃）を５００〜４００００ｍＰａ・ｓとするのが好ましく、１０００〜６０００ｍＰａ・ｓとするのがより好ましい。
【００５９】
本発明の洗浄剤組成物における成分（Ａ）と成分（Ｃ）との質量比（Ａ：Ｃ）は、１：１〜９９：１であり、５：１〜５０：１が好ましく、５：１〜２５：１がより好ましい。質量比（Ａ：Ｃ）がこの範囲内であると、シャンプーやボディシャンプー等の洗浄剤としての用途に適した粘度とすることができる。
【００６０】
また、濁りや分離が抑制され、シャンプーやボディシャンプー等の洗浄剤としての用途に適した粘度とすることができる点から、本発明の洗浄剤組成物における成分（Ａ）と成分（Ｂ）との質量比（Ａ：Ｂ）は、９９：１〜１：２０が好ましく、２０：１〜１：５がより好ましく、３：１〜１：３がさらに好ましい。成分（Ａ）および成分（Ｂ）と成分（Ｃ）との質量比（Ａ＋Ｂ：Ｃ）は、５：１〜６０：１が好ましく、１０：１〜４０：１がより好ましく、１０：１〜３０：１がさらに好ましい。成分（Ａ）と成分（Ｄ）との質量比（Ａ：Ｄ）は、９９：１〜１：１０が好ましく、２０：１〜１：１がより好ましく、６：１〜１：１がさらに好ましい。成分（Ａ）〜（Ｄ）の合計量（Ａ＋Ｂ＋Ｃ＋Ｄ）は、本発明の洗浄剤組成物の全量に対して５〜５０質量％が好ましく、５〜３０質量％がより好ましく、５〜２５質量％がさらに好ましい。
【００６１】
本発明の洗浄剤組成物は、泡立ち、泡のきめ細かさ、濯ぎ時のなめらかさを良好にする点から、さらに成分（Ｅ）としてＮ−アシルアミノ酸系界面活性剤を含有することが好ましい。Ｎ−アシルアミノ酸系界面活性剤（Ｅ）としては、例えば、Ｎ−アシルアラニン塩、Ｎ−アシルグルタミン酸塩、Ｎ−アシルサルコシン塩、Ｎ−アシルタウリン塩、Ｎ−アシルグリシン塩、Ｎ−アシルアスパラギン酸塩、Ｎ−アシルセリン塩、Ｎ−アシルトレオニン塩等が挙げられる。これらは１種単独で使用してもよく、２種以上を併用してもよい。これらのＮ−アシルアミノ酸系界面活性剤（Ｅ）における長鎖アルキル基の平均炭素数は、４〜２２が好ましく、８〜１８がより好ましい。Ｎ−アシルアミノ酸塩を構成する塩基成分としては、ナトリウム、カリウム等のアルカリ金属、マグネシウム、カルシウム等のアルカリ土類金属、モノエタノールアミン、ジエタノールアミン、トリエタノールアミン、２−アミノ−２−メチル−１−プロパノール、２−アミノ−２−メチル−１，３−プロパンジオール、テトラキス（２−ヒドロキシイソプロピル）エチレンジアミン等の有機アミン、リジン、オルニチン、アルギニン等の塩基性アミノ酸、アンモニア等が挙げられ、これらの塩基成分は２種以上を併用してもよい。
【００６２】
Ｎ−アシルアラニン塩としては、例えば、ラウロイルメチル−β−アラニンナトリウム、ラウロイルメチル−β−アラニンカリウム、ラウロイルメチル−β−アラニントリエタノールアミン、ミリストイルメチル−β−アラニンナトリウム、ヤシ油脂肪酸（ココイル）メチル−β−アラニンナトリウム、ラウロイルアラニンナトリウム、ラウロイルアラニンカリウム、ラウロイルアラニントリエタノールアミン、ミリストイルアラニンナトリウム、ヤシ油脂肪酸（ココイル）アラニンナトリウム、ヤシ油脂肪酸（ココイル）アラニントリエタノールアミン等が挙げられる。これらは１種単独で使用してもよく、２種以上を併用してもよい。これらの中でも、ラウロイルメチル−β−アラニンナトリウムが好ましい。
【００６３】
Ｎ−アシルグルタミン酸塩としては、例えば、ラウロイルグルタミン酸ナトリウム、ラウロイルグルタミン酸２ナトリウム、ラウロイルグルタミン酸カリウム、ラウロイルグルタミン酸トリエタノールアミン、ヤシ油脂肪酸（ココイル）グルタミン酸ナトリウム、ヤシ油脂肪酸（ココイル）グルタミン酸２ナトリウム、ヤシ油脂肪酸（ココイル）グルタミン酸カリウム、ヤシ油脂肪酸（ココイル）グルタミン酸トリエタノールアミン、ミリストイルグルタミン酸ナトリウム、ステアロイルグルタミン酸ナトリウム、ステアロイルグルタミン酸カリウム、パーム核油脂肪酸グルタミン酸ナトリウム等が挙げられる。これらは１種単独で使用してもよく、２種以上を併用してもよい。これらの中でも、ヤシ油脂肪酸（ココイル）グルタミン酸トリエタノールアミンが好ましい。
【００６４】
Ｎ−アシルサルコシン塩としては、例えば、ラウロイルサルコシンナトリウム、ラウロイルサルコシンカリウム、ラウロイルサルコシントリエタノールアミン、ヤシ油脂肪酸（ココイル）サルコシンナトリウム、ヤシ油脂肪酸（ココイル）サルコシンカリウム、ヤシ油脂肪酸（ココイル）サルコシントリエタノールアミン、ミリストイルサルコシンナトリウム、ミリストイルサルコシンカリウム、パーム核油脂肪酸サルコシンナトリウム、パーム核油脂肪酸サルコシンカリウム、パーム核油脂肪酸トリエタノールアミン、ステアロイルサルコシンナトリウム等が挙げられる。これらは１種単独で使用してもよく、２種以上を併用してもよい。これらの中でも、ラウロイルサルコシントリエタノールアミンが好ましい。
【００６５】
Ｎ−アシルタウリン塩としては、例えば、ラウロイルタウリンナトリウム、ラウロイルメチルタウリンナトリウム、ミリストイルメチルタウリンナトリウム、ヤシ油脂肪酸（ココイル）タウリンナトリウム、ヤシ油脂肪酸（ココイル）メチルタウリンナトリウム、ヤシ油脂肪酸（ココイル）メチルタウリンカリウム、ヤシ油脂肪酸（ココイル）メチルタウリンタウリンナトリウム、ステアロイルメチルタウリンナトリウム等が挙げられる。これらは１種単独で使用してもよく、２種以上を併用してもよい。これらの中でも、ヤシ油脂肪酸（ココイル）メチルタウリンナトリウムが好ましい。
【００６６】
Ｎ−アシルグリシン塩としては、例えば、ラウロイルグリシンナトリウム、ヤシ油脂肪酸（ココイル）グリシンナトリウム、ヤシ油脂肪酸（ココイル）グリシンカリウム、ヤシ油脂肪酸（ココイル）グリシントリエタノールアミン等が挙げられる。これらは１種単独で使用してもよく、２種以上を併用してもよい。
【００６７】
Ｎ−アシルアスパラギン酸塩としては、例えば、ラウロイルアスパラギン酸ナトリウム、ラウロイルアスパラギン酸トリエタノールアミン、ヤシ油脂肪酸（ココイル）アスパラギン酸ナトリウム、ヤシ油脂肪酸（ココイル）アスパラギン酸カリウム、ヤシ油脂肪酸（ココイル）アスパラギン酸トリエタノールアミン、パーム核油脂肪酸アスパラギン酸ナトリウム、パーム核油脂肪酸アスパラギン酸アンモニウム等が挙げられる。これらは１種単独で使用してもよく、２種以上を併用してもよい。
【００６８】
Ｎ−アシルセリン塩としては、例えば、ラウロイルセリンナトリウム、ラウロイルセリンカリウム、ラウロイルセリントリエタノールアミン、ヤシ油脂肪酸（ココイル）セリンナトリウム、ヤシ油脂肪酸（ココイル）セリンカリウム、ヤシ油脂肪酸（ココイル）セリンナトリエタノールアミン、パーム核油脂肪酸セリンナトリウム、パーム核油脂肪酸セリンアンモニウム等が挙げられる。これらは１種単独で使用してもよく、２種以上を併用してもよい。
【００６９】
Ｎ−アシルトレオニン塩としては、例えば、ラウロイルトレオニンナトリウム、ラウロイルトレオニンカリウム、ラウロイルトレオニントリエタノールアミン、ヤシ油脂肪酸（ココイル）トレオニンナトリウム、ヤシ油脂肪酸（ココイル）トレオニンカリウム、ヤシ油脂肪酸（ココイル）トレオニンナトリエタノールアミン、パーム核油脂肪酸トレオニンナトリウム、パーム核油脂肪酸トレオニンアンモニウム等が挙げられる。これらは１種単独で使用してもよく、２種以上を併用してもよい。
【００７０】
本発明の洗浄剤組成物におけるＮ−アシルアミノ酸系界面活性剤（Ｅ）の含有量は、組成物全量に対して１．０質量％以上が好ましく、２．０質量％以上がより好ましい。また、組成物全量に対して２０質量％以下が好ましく、１５質量％以下がより好ましく、１２質量％以下がさらに好ましい。一般に、Ｎ−アシルアミノ酸系活性剤を配合すると粘度が低くなることが知られているが、成分（Ｅ）の含有量を上記範囲で用いることにより、泡立ちや濯ぎ等の使用感を良好にしつつ、洗浄剤としての用途に適した粘度とすることができる。
【００７１】
本発明の洗浄剤組成物は、本発明の効果を損なわない範囲で、成分（Ａ）及びＮ−アシルアミノ酸系界面活性剤（Ｅ）以外のアニオン性界面活性剤（Ａ’）を配合することができる。アニオン性界面活性剤（Ａ’）としては、例えば、脂肪酸石鹸、アルキルエーテルカルボン酸塩、アルキレンアルキルエーテルカルボン酸塩、脂肪酸アミドエーテルカルボン酸塩、アシル乳酸塩、アルキルスルホ酢酸塩、アルケニルスルホ酢酸塩等のカルボン酸塩、アルカンスルホン酸塩、テトラデセンスルホン酸ナトリウム等のα−オレフィンスルホン酸塩、α−スルホ脂肪酸メチルエステル塩、アシルイセチオン酸塩、アルキルグリシジルエーテルスルホン酸塩、アルキルスルホコハク酸塩、ポリオキシアルキレンアルキルスルホコハク酸塩、アルキルベンゼンスルホン酸塩、アルキルナフタレンスルホン酸塩、ホルマリン縮合系スルホン酸塩、パラフィンスルホン酸塩、アルキルアミドスルホン酸塩、アルケニルアミドスルホン酸塩、アルキルグリセリルエーテルスルホン酸塩等のスルホン酸塩、アルキル硫酸塩、アルケニル硫酸塩、アルキルエーテル硫酸塩、アルケニルエーテル硫酸塩、ポリオキシアルキレンアルキルエーテル硫酸塩、アルキルアリールエーテル硫酸塩、脂肪酸アルカノールアミド硫酸塩、脂肪酸モノグリセリド硫酸塩、ポリオキシアルキレン脂肪族アミドエーテル硫酸塩、アルキルグリセリルエーテル硫酸塩等の硫酸塩、アルキルリン酸塩、アルケニルリン酸塩、アルキルアリールエーテルリン酸塩、脂肪酸アミドエーテルリン酸塩等のリン酸塩等が挙げられる。これらは１種単独で使用してもよく、２種以上を併用してもよい。
【００７２】
本発明の洗浄剤組成物において、成分（Ａ）の配合量はアニオン性界面活性剤の全量に対して１０質量％以上が好ましく、２０質量％以上がより好ましい。
【００７３】
アニオン性界面活性剤（Ａ’）の配合量は、成分（Ａ）とアニオン性界面活性剤（Ａ’）の合計量に対して９０質量％以下が好ましく、７５質量％以下がより好ましく、７０質量％以下がさらに好ましい。
【００７４】
アニオン性界面活性剤（Ａ’）のうち、前記硫酸塩を配合すると粘度が低くなり、毛髪処理組成物として用いた場合には濯ぎ時のなめらかさ等のコンディショニング性が低下するため、前記硫酸塩の配合量は、アニオン性界面活性剤の全量に対して７５質量％以下が好ましく、５０質量％以下がより好ましく、３０質量％以下がさらに好ましい。
【００７５】
アニオン性界面活性剤（Ａ’）のうち、前記アルキルリン酸塩およびアルケニルリン酸を配合すると外観が濁る傾向にあるため、前記アルキルリン酸塩およびアルケニルリン酸塩の配合量は、アニオン性界面活性剤の全量に対して５０質量％以下が好ましく、４５質量％以下がより好ましく、４０質量％以下がさらに好ましい。
【００７６】
本発明の洗浄剤組成物は、本発明の効果を損なわない範囲で、上記成分（Ａ）〜（Ｄ）と溶媒以外の他の成分を配合することができる。このような他の成分としては、特に限定されるものではなく、目的に応じて適宜選択することができ、例えば、非イオン性界面活性剤、カチオン性界面活性剤、水溶性高分子、増粘剤、光沢付与剤、高級アルコール、多価アルコール、高級脂肪酸、アミドアミン類、炭化水素、ワックス、エステル類、シリコーン誘導体、生理活性成分、エキス類、酸化防止剤、金属イオン封鎖剤、防腐剤、紫外線吸収剤、香料、保湿剤、塩類、中和剤、ｐＨ調整剤、清涼剤、昆虫忌避剤、酵素等が挙げられる。非イオン性界面活性剤の配合量は、本発明の洗浄剤組成物の全量に対して１０質量％以下が好ましく、５質量％以下がより好ましい。カチオン性界面活性剤の配合量は、本発明の洗浄剤組成物の全量に対して１０質量％以下が好ましく、５質量％以下がより好ましい。水溶性高分子と増粘剤の配合量は、本発明の洗浄剤組成物の全量に対して５質量％以下が好ましく、１質量％以下がより好ましい。
【００７７】
非イオン性界面活性剤としては、ポリオキシアルキレン脂肪酸エステル、ポリオキシアルキレンアルキルエーテル、ポリオキシアルキレンアルキルフェニルエーテル、ポリオキシアルキレン（硬化）ヒマシ油エステル、ショ糖脂肪酸エステル、ポリグリセリンアルキルエーテル、ポリグリセリン脂肪酸エステル、ポリオキシアルキレングリセリン脂肪酸（モノ／ジ／トリ）エステル、ポリオキシアルキレンソルビタン脂肪酸エステル、アルキルポリグリコシド等、カチオン性界面活性剤としては、第一級アミン塩、第二級アミン塩、第三級アミン塩、脂肪族アミドアミン塩、脂肪族アミドグアニジウム塩、第四級アンモニウム塩、アルキルトリアルキレングリコールアンモニウム塩、アルキルエーテルアンモニウム塩等の脂肪族アミン塩およびその第四級アンモニウム塩、ベンザルコニウム塩、ベンゼトニウム塩、ピリジニウム塩、イミダゾリニウム塩等の環式第四級アンモニウム塩等、水溶性高分子としては、ヒドロキシエチルセルロース、ヒドロキシプロピルセルロース、ヒドロキシプロピルメチルセルロース、ポリエチレングリコール、高重合ポリエチレングリコール、ポリビニルアルコール、ポリビニルピロリドン、ポリグルタミン酸、カルボキシビニルポリマー、アクリル酸・メタクリル酸アルキル共重合体、アクリル酸アルキル共重合体等、光沢付与剤としては、ジステアリン酸グリコール等の脂肪酸エチレングリコールエステル、脂肪酸ポリエチレングリコールエステル等、高級アルコールとしては、セチルアルコール、ステアリルアルコール、ベへニルアルコール等、多価アルコールとしては、グリセリン、１，３−ブタンジオール、プロピレングリコール、ジプロピレングリコール、ソルビトール等、高級脂肪酸としては、ミリスチン酸、パルミチン酸、ステアリン酸、ベヘン酸等、アミドアミン類としては、ステアリン酸ジメチルアミノプロピルアミド等、炭化水素としては、流動パラフィン、ポリイソブテン、スクワラン等、ワックスとしては、キャンデリラロウ、カルナウバロウ、パラフィンワックス、マイクロクリスタリンワックス、ポリエチレンワックス等、エステル類としては、動植物油、ミリスチン酸イソプロピル、パルミチン酸エチルヘキシル、オクタン酸セチル、エチルヘキサン酸セチル、イソノナン酸イソノニル等、シリコーン誘導体としては、ジメチルポリシロキサン、メチルフェニルポリシロキサン、脂肪酸変性シリコーン、アルコール変性シリコーン、アミノ変性シリコーン、ジメチコノール等、生理活性成分としては、皮膚に塗布した場合に皮膚に何らかの生理活性を与えるような天然系の植物抽出成分、海藻抽出成分、生薬成分等、エキス類としては、植物、動物、微生物由来の各種エキス等、酸化防止剤としては、トコフェロール類、ジブチルヒドロキシトルエン、ブチルヒドロキシアニソール、没食子酸エステル類等、金属イオン封鎖剤としては、１−ヒドロキシエタン−１，１−ジフォスホン酸、１−ヒドロキシエタン−１，１−ジフォスホン酸四ナトリウム塩、エチレンジアミン四酢酸およびその塩類（２カリウム２水塩、２ナトリウム塩、２ナトリウムカルシウム塩、３ナトリウム塩、４ナトリウム塩、４ナトリウム２水塩、４ナトリウム４水塩等）、ヒドロキシエチルエチレンジアミン３酢酸およびその塩、リン酸およびその塩、アスコルビン酸およびその塩、コハク酸およびその塩、グルコン酸およびその塩、ポリリン酸およびその塩、メタリン酸およびその塩、酒石酸およびその塩、フィチン酸およびその塩、クエン酸およびその塩、マレイン酸およびその塩、ポリアクリル酸およびその塩、イソアミレンーマレイン酸共重合体およびその塩、ケイ酸およびその塩、ヒドロキシベンジルイミノジ酢酸およびその塩、イミノジ酢酸およびその塩、ジエチレントリアミンペンタ酢酸およびその塩、ニトリロトリ酢酸およびその塩、メチルグリシンジ酢酸およびその塩、Ｌ−グルタミン酸ジ酢酸およびその塩、Ｌ−アスパラギン酸ジ酢酸およびその塩、ヒノキチオール類等、防腐剤としては、パラオキシ安息香酸エステル（メチルパラベン、エチルパラベン、ブチルパラベン）、１，２−アルカンジオール（炭素鎖長６〜１４）およびその誘導体、フェノキシエタノール、イソプロピルメチルフェノール、安息香酸ナトリウム塩等、紫外線吸収剤としては、ベンゾトリアゾール系、ＰＡＢＡ系、アントラニル酸系、ケイ皮酸系、サリチル酸系、ベンゾフェノン系、トリアジン系等、香料としては、抽出物、精油、レシノイド、樹脂、花香油およびそれらの組み合わせ等の天然物質である香料成分を含む香料、保湿剤としては、ムコ多糖、ヒアルロン酸、コンドロイチン硫酸、キトサン、乳酸ナトリウム塩等、塩類としては、クエン酸、リンゴ酸、コハク酸、乳酸のような有機酸、または塩酸、硫酸、硝酸、炭酸、リン酸等の無機酸の塩、中和剤、ｐＨ調整剤としては、無機酸、有機酸、アルカリ金属塩、有機塩基等、清涼剤としては、Ｌ−メントール、乳酸Ｌ−メンチル、メンチルグリセリルエーテル、メンタンジオール、カンファー、薄荷油等、昆虫忌避剤としては、ジエチルトルアミド等、酵素としては、プロテアーゼ、セルラーゼ、アミラーゼ、リパーゼ、マンナナーゼ等が挙げられる。
【００７８】
本発明の洗浄剤組成物は、成分（Ａ）〜（Ｄ）等を溶媒に希釈して調製することができる。溶媒としては、例えば、水；エタノール、１−プロパノール、２−プロパノール、１−ブタノール等のアルコール類；ジエチレングリコールモノメチルエーテル、ジエチレングリコールジメチルエーテル等のアルキルエーテル類等が挙げられる。これらは１種単独で使用してもよく、２種以上を併用してもよい。これらの中でも、水または水溶液が好ましく、特に、精製水等の水が好ましい。
【００７９】
本発明の洗浄剤組成物は、例えば、成分（Ａ）〜（Ｄ）および成分（Ｅ）、前記その他の成分を溶媒に添加、混合して調製することができる。必要に応じて固体原料は加熱溶解して混合、攪拌し、均一に混合する。一例としては、剪断と全体混合できる複数の攪拌羽根を備えた攪拌装置、例えばプロペラ、タービン、ディスパー等を使用し、成分（Ｃ）および精製水を６０〜８０℃で均一に混合し、膨潤させた後、成分（Ａ）、（Ｂ）、（Ｄ）、必要に応じて成分（Ｅ）および前記その他の成分（熱的影響を受ける成分は冷却後に添加）を添加し、均一に混合する。その後、３０℃以下まで冷却し、洗浄剤組成物の全体が１００質量％となるように蒸発分の精製水を配合して均一に混合し、洗浄剤組成物を得ることができる。
【００８０】
本発明の洗浄剤組成物の２５℃におけるｐＨは、特に限定されるものではないが、地肌への刺激、防腐性等を考慮して、必要に応じて調整することができる。
【００８１】
本発明の洗浄剤組成物を収容する容器としては、特に限定されるものではなく、目的に応じて適宜選択することができ、例えば、機械的な駆動または差圧駆動によるポンプ容器やスクイズ容器、ボトル容器、チューブ容器等が挙げられる。
【００８２】
本発明の洗浄剤組成物は、例えば、ヘアシャンプー、リンス一体型シャンプー、コンディショニングシャンプー、カラーシャンプー、退色防止シャンプー、ヘアリンス、カラーリングリンス、ヘアマニキュア、ヘアソープ、ヘアクレンジング、トリートメント、カラートリートメント、コンディショナー等の毛髪洗浄剤や、ボディシャンプー、洗顔料、ハンドソープ等に好適に使用できる。
【実施例】
【００８３】
以下に、実施例により本発明をさらに詳しく説明するが、本発明はこれらの実施例に限定されるものではない。なお、表１〜表４に示す配合量は質量％（有効分）を表す。
【００８４】
１．洗浄剤組成物の調製
＜実施例１〜９、３４〜３６＞
次の手順で表１に示す洗浄剤組成物を調製した。天然由来カチオン性ポリマー（Ｃ）および精製水を７０〜８０℃で均一に混合した後、（ポリ）オキシアルキレンアルキルまたはアルケニルエーテルリン酸塩（Ａ）、両性界面活性剤（Ｂ）、脂肪酸アルカノールアミド（Ｄ）を添加し、７０〜８０℃で２０分間攪拌して均一に混合した。その後、３０℃以下まで冷却し、蒸発分の精製水を洗浄剤組成物の全体が１００質量％となるように添加して均一に混合することにより、洗浄剤組成物を調製した。洗浄剤組成物のｐＨはクエン酸または水酸化カリウムを添加して調整した。
【００８５】
（ポリ）オキシアルキレンアルキルまたはアルケニルエーテルリン酸塩（Ａ）において、ＰＯＥ（２）ラウリルエーテルリン酸カリウムおよびＰＯＥ（２）ラウリルエーテルリン酸トリエタノールアミンにおけるリン酸モノエステル塩とリン酸ジエステル塩との質量比（モノエステル塩：ジエステル塩）は６０：４０であった。天然由来カチオン性ポリマー（Ｃ）のカチオン化ヒドロキシエチルセルロースはカチナールＨＣ−２００（東邦化学工業社製）、カチオン化グアーガムはＪＡＧＵＡＲ  ＥＸＣＥＬ（ローディア社製）を用いた。脂肪酸アルカノールアミド（Ｄ）のヤシ油脂肪酸Ｎ−メチルエタノールアミドはアミノーンＣ−１１Ｓ（花王社製）、ポリオキシプロピレンヤシ油脂肪酸モノイソプロパノールアミドはアミゼット１ＰＣ（川研ファインケミカル社製）を用いた。
【００８６】
＜比較例１〜９＞
実施例１〜９と同様にして、表１に示す洗浄剤組成物を調製した。比較例４では、アニオン性界面活性剤（Ａ’）にラウリルリン酸カリウムを配合して調製を行っており、ラウリルリン酸カリウムにおけるモノエステル塩：ジエステル塩の質量比は６０：４０であった。
【００８７】
比較例１〜３のカチオン性ポリマー（Ｃ’）について、ポリ（Ｎ，Ｎ−ジメチル−３，５−メチレンピペリジウムクロリド）はマーコート１００（ルーブリゾール社製）、ポリエチレンイミンはエポミンＰ−１０００（日本触媒製）、ＤＭＣ−ＤＭＡＰＡＡＣ−ＤＭＡＡ共重合体（ＤＭＣ：Ｎ−メタクリロイルオキシエチル−Ｎ，Ｎ，Ｎ−トリメチルアンモニウムクロリド、ＤＭＡＰＡＡＣ：Ｎ−アクリロイルアミノプロピル−Ｎ，Ｎ，Ｎ−トリメチルアンモニウムクロリド、ＤＭＡＡ：Ｎ，Ｎ−ジメチルアクリルアミド）は特許文献２における実施例の共重合体４を用いた。
【００８８】
＜実施例１０〜１２、３７、比較例１０、１１＞
実施例１〜９と同様にして、表２に示す洗浄剤組成物を調製した。実施例１１、１２、３７、比較例１０、１１ではアニオン性界面活性剤（Ａ’）にＰＯＥ（３）ラウリルエーテル硫酸ナトリウムを配合して調製を行った。カチオン性ポリマー（Ｃ）の（Ｎ,Ｎ−ジメチル−３,５−メチレンピペリジウムクロリド）−アクリルアミド共重合体はマーコート５５０ＰＲ（ルーブリゾール社製）を用いた。
【００８９】
＜実施例１３〜２２、比較例１２〜１７＞
実施例１〜９と同様にして、表３に示す洗浄剤組成物を調製した。Ｎ−アシルアミノ酸系界面活性剤（Ｅ）のココイルメチルタウリンナトリウムはネオスコープＣＮ−３０−ＳＦ（東邦化学工業社製）、ラウロイルメチル−β−アラニンナトリウムはエナジコールＬ−３０ＡＮ（ライオン社製）を用いた。
【００９０】
＜実施例２３〜３３、３８〜４２、比較例１８〜２６＞
実施例１〜９と同様にして、表４に示す洗浄剤組成物を調製した。アニオン性界面活性剤（Ａ’）のテトラデセンスルホン酸ナトリウムはリポランＬＪ−４４１（ライオン社製）、Ｎ−アシルアミノ酸系界面活性剤（Ｅ）のココイルグルタミン酸トリエタノールアミンはアミソフトＣＴ−１２Ｓ（味の素社製）、ラウロイルサルコシントリエタノールアミンはソイポンＳＬＴＡ（川研ファインケミカル社製）を用いた。
【００９１】
２．評価
（１）配合時の濁り・分離の有無
洗浄剤組成物を調製後、透明容器中で２５℃、１日間静置し、濁り・分離の有無を目視にて確認し、濁り、分離がない場合を〇、濁りまたは分離がある場合を×として評価した。
（２）粘度
Ｂ型粘度計（東機産業製、ＴＶＢ−１０）、ローターＮｏ．２〜４を使用して、１２または３０ｒｐｍの速度で２５℃にて測定を行い、粘度（２５℃、ｍＰａ・ｓ）を次の基準で評価した。
◎最適な粘度：１０００以上６０００以下
○適度な粘度：５００以上１０００未満または６０００超４００００以下
×粘度が低すぎる：５００未満
×粘度が高すぎる：４００００超
（３）洗髪による使用感評価
専門パネラーが各実施例の洗浄剤組成物で洗髪し、濯ぎ時のなめらかさ、泡立ち、泡のきめ細かさを次の基準で評価した。
（濯ぎ時のなめらかさ）
◎：非常になめらかできしみを全く感じない
○：なめらかできしみをほとんど感じない
△：ややなめらかさに欠け、きしみを感じる
×：なめらかさが全くなく、非常にきしみを感じる
（泡立ち）
◎：すぐに泡立ち、泡量が多い
○：泡立ち、泡量ともに良好である
△：泡立ちが遅く、泡量がやや少ない
×：なかなか泡立たず、泡量が少ない
（泡のきめ細かさ）
◎：泡が非常にきめ細かく、クリーミーである
○：泡がきめ細かい
△：泡がやや粗い
×：泡が粗い
【００９２】
上記の評価結果を表１〜表４に示す。
【００９３】
【表１】
2020059848.tif 000005
【００９４】
【表２】
2020059848.tif 000006
【００９５】
【表３】
2020059848.tif 000007
【００９６】
【表４】
2020059848.tif 000008
【００９７】
表１より、成分（Ａ）、（Ｂ）、（Ｃ）、（Ｄ）を含有する実施例１〜９、３４〜３６では、配合時の濁り・分離がなく、適度な粘度であった。また洗髪による使用感評価から、濯ぎ時のなめらかさが良好であった。比較例１〜３では、成分（Ｃ）以外のカチオン性ポリマーを使用したが、粘度が低く、比較例１、２では配合時に濁り・分離が見られ、洗髪による使用感評価において、濯ぎ時にきしみが感じられた。比較例４では、アニオン性界面活性剤（Ａ’）としてラウリルリン酸カリウムを単独で使用したが、配合時の濁り・分離が認められ、濯ぎ時のなめらかさがやや欠けていた。比較例５は成分（Ａ）と（Ｃ）の質量比（Ａ：Ｃ）が９９：１を越えて成分（Ａ）の量が多い配合であるが、粘度が低く、洗髪使用において濯ぎ時のなめらかさが全くなかった。比較例６は成分（Ｂ）、比較例７は成分（Ｃ）、比較例８、９は成分（Ｄ）をそれぞれ含まない配合であり、いずれも粘度が低く、比較例６、７は濯ぎ時にきしみが感じられた。
【００９８】
表２より、成分（Ａ）、（Ｂ）、（Ｃ）、（Ｄ）を含有する実施例１０では、配合時の濁り・分離がなく、適度な粘度であった。また洗髪による使用感評価から、濯ぎ時のなめらかさが非常に良好であった。実施例１１、１２、３７では、成分（Ａ）とともにアニオン性界面活性剤（Ａ’）としてＰＯＥ（３）ラウリルエーテル硫酸ナトリウムを併用したところ、硫酸エステル系界面活性剤に起因する粘度の低下および濯ぎ時のなめらかさにやや低下傾向が見られたが、成分（Ａ）の配合量がアニオン性界面活性剤の全量に対して１０質量％以上であることにより、評価基準を満たした。一方、比較例１０は成分（Ａ）の配合量がアニオン性界面活性剤の全量に対して１０質量％未満であり、比較例１１はＰＯＥ（３）ラウリルエーテル硫酸ナトリウムを単独で使用したが、いずれも粘度が低く、濯ぎ時のなめらかさが全くなかった。
【００９９】
表３より、成分（Ａ）、（Ｂ）、（Ｃ）、（Ｄ）を含む実施例１３〜２２では、Ｎ−アシルアミノ酸系界面活性剤（Ｅ）としてココイルメチルタウリンナトリウム、ラウロイルメチル−β−アラニンナトリウムを配合しており、洗髪による使用感評価から、泡立ち、泡のきめ細かさ、濯ぎ時のなめらかさが良好であった。一般に、Ｎ−アシルアミノ酸系界面活性剤を配合すると粘度が低くなることが知られているが、成分（Ａ）、（Ｂ）、（Ｃ）、（Ｄ）を含有する実施例１３〜２２では、Ｎ−アシルアミノ酸系界面活性剤（Ｅ）を配合しても適度な粘度を有することが認められた。一方、実施例１３、１４に対して比較例１２、実施例１５、１６に対して比較例１３では、それぞれ成分（Ａ）を含まないため粘度が低く、濯ぎ時のなめらかさに欠けていた。実施例１９に対して比較例１４、実施例２０対して比較例１５では、成分（Ｄ）を含まないため、粘度が十分でなかった。実施例２１に対して比較例１６では成分（Ａ）、比較例１７では成分（Ｄ）をそれぞれ含まないため、粘度が低く、比較例１６では濯ぎ時のなめらかさに欠ける傾向が見られた。
【０１００】
表４より、成分（Ａ）、（Ｂ）、（Ｃ）、（Ｄ）を含む実施例２３〜３３、３８〜４２において、実施例２３〜２５、２９および実施例３０〜３３では、Ｎ−アシルアミノ酸系界面活性剤（Ｅ）として、それぞれココイルグルタミン酸トリエタノールアミンおよびラウロイルサルコシントリエタノールアミン、実施例２６〜２９、３８〜４２ではアニオン性界面活性剤（Ａ’）としてテトラデセンスルホン酸ナトリウムを配合しているが、適度な粘度を有することが認められた。また、実施例２７、２８、３８〜４２では濯ぎ時のなめらかさにやや低下傾向が見られたが、実施例２３〜３３、３８〜４２のいずれにおいても洗髪による使用感評価は総体的に良好であった。一方、実施例２３、２４に対して比較例１８、実施例２５に対して比較例１９では、それぞれ成分（Ａ）を含まないため、配合時に濁り・分離が見られ、比較例１９では粘度が十分でなかった。また、実施例２５に対して比較例２０は成分（Ｄ）を含まないため、粘度が低く泡立ちもやや低下傾向にあった。実施例２６、２７に対して比較例２１では、成分（Ａ）を含まないため、濯ぎ時のなめらかさが全くなく非常にきしみが感じられた。また、実施例２６に対して比較例２２、実施例２７に対して比較例２３では、それぞれ成分（Ｄ）を含まないため、粘度が十分でなく、濯ぎ時のなめらかさに欠けていた。実施例２８に対して比較例２４は成分（Ａ）を含まないため、濯ぎ時のなめらかさが全くなかった。実施例２９に対して比較例２５は成分（Ａ）を含まないため、粘度が十分でなく、濯ぎ時のなめらかさがやや欠ける傾向にあった。実施例３０、３１に対して比較例２６は成分（Ａ）を含まないため、粘度が低かった。
【０１０１】
＜処方例＞
本発明の洗浄剤組成物の好適な処方例を次に示す。
【０１０２】
洗浄剤組成物には下記原料を使用した。
（ポリ）オキシアルキレンアルキルまたはアルケニルエーテルリン酸塩（Ａ１）：ポリオキシエチレン（２）ラウリルエーテルリン酸カリウム塩（ミヨシ油脂社製、アンホレックスＭＰ−２Ｋ）
（ポリ）オキシアルキレンアルキルまたはアルケニルエーテルリン酸塩（Ａ２）：ポリオキシエチレン（２）ラウリルエーテルリン酸アンモニウム塩
（ポリ）オキシアルキレンアルキルまたはアルケニルエーテルリン酸塩（Ａ３）：ポリオキシエチレン（２）ラウリルエーテルリン酸トリエタノールアミン塩
両性界面活性剤（Ｂ１）：パーム核油脂肪酸アミドプロピルベタイン（ミヨシ油脂社製、アンホレックスＰＢ−１）
両性界面活性剤（Ｂ２）：ヤシ油脂肪酸アミドプロピルベタイン、（ミヨシ油脂社製、アンホレックスＣＢ−１）
両性界面活性剤（Ｂ３）：ラウリン酸アミドプロピルベタイン、（ミヨシ油脂社製、アンホレックスＬＢ−２）
天然由来カチオン性ポリマー（Ｃ１）：カチオン化ヒドロキシエチルセルロース（東邦化学工業社製、カチナールＨＣ−２００）
天然由来カチオン性ポリマー（Ｃ２）：カチオン化グアーガム（ローディア社製、ＪＡＧＵＡＲ  ＥＸＣＥＬ）
（Ｎ,Ｎ−ジメチル−３，５−メチレンピペリジウムクロリド）−アクリルアミド共重合体（Ｃ３）：（ルーブリゾール社製、マーコート５５０ＰＲ）
脂肪酸アルカノールアミド（Ｄ１）：ヤシ油脂肪酸ジエタノールアミド（ミヨシ油脂社製、アミコールＣＤＥ−１）
脂肪酸アルカノールアミド（Ｄ２）：ヤシ油脂肪酸モノエタノールアミド（ミヨシ油脂社製、アミコールＣＭＥＡ）
脂肪酸アルカノールアミド（Ｄ３）：ポリオキシプロピレンヤシ油脂肪酸モノイソプロパノールアミド（川研ファインケミカル社製、アミゼット１ＰＣ）
Ｎ−アシルアミノ酸系界面活性剤（Ｅ１）：ラウロイルメチル−β−アラニンナトリウム（ライオン社製、エナジコールＬ−３０ＡＮ）
Ｎ−アシルアミノ酸系界面活性剤（Ｅ２）：ヤシ油脂肪酸（ココイル）メチルタウリンナトリウム（東邦化学工業社製、ネオスコープＣＮ−３０−ＳＦ）
Ｎ−アシルアミノ酸系界面活性剤（Ｅ３）：ヤシ油脂肪酸（ココイル）グルタミン酸トリエタノールアミン（味の素社製、アミソフトＣＴ−１２Ｓ）
アニオン性界面活性剤（Ａ’１）：テトラデセンスルホン酸ナトリウム（ライオン社製、リポランＬＪ−４４１）
アニオン性界面活性剤（Ａ’２）：ポリオキシエチレン（３）ラウリルエーテル硫酸ナトリウム（ミヨシ油脂社製、スパミンＳＡ）
【０１０３】
以下、処方中の原料は質量％（有効分）で表す。
【０１０４】
（処方例１：シャンプー）
（ポリ）オキシアルキレンアルキルまたはアルケニルエーテルリン酸塩（Ａ１）
９．６質量部
両性界面活性剤（Ｂ１）                                          ３．２質量部
天然由来カチオン性ポリマー（Ｃ２）                            ０．４４質量部
脂肪酸アルカノールアミド（Ｄ１）                                １．７質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          ０．５質量部
水                                                 残余（全量１００質量部）
【０１０５】
上記各成分を配合し、処方例１の洗浄剤組成物（シャンプー）を調製した。このシャンプーは、外観の濁りや分離がなく、粘度は１９１０ｍＰａ・ｓであった。
【０１０６】
（処方例２：シャンプー）
（ポリ）オキシアルキレンアルキルまたはアルケニルエーテルリン酸塩（Ａ２）
１１．３質量部
両性界面活性剤（Ｂ２）                                          ３．８質量部
Ｎ,Ｎ−ジメチル−３，５−メチレンピペリジウムクロリド）−アクリルアミド共重合体（Ｃ３）                                                        ０．５質量部    脂肪酸アルカノールアミド（Ｄ２）                                ２．０質量部
防腐剤（メチルパラベン）                                        ０．１質量部
金属イオン封鎖剤（エチレンジアミン四酢酸２ナトリウム塩）        ０．１質量部
ｐＨ調整剤（クエン酸）                                          ０．５質量部
水                                                  残余（全量１００質量部）
【０１０７】
上記各成分を配合し、処方例２の洗浄剤組成物（シャンプー）を調製した。このシャンプーは、外観の濁りや分離がなく、粘度は５３５０ｍＰａ・ｓであった。
【０１０８】
（処方例３：シャンプー）
（ポリ）オキシアルキレンアルキルまたはアルケニルエーテルリン酸塩（Ａ１）
３．４質量部
両性界面活性剤（Ｂ２）                                          ３．８質量部
天然由来カチオン性ポリマー（Ｃ１）                              ０．５質量部
脂肪酸アルカノールアミド（Ｄ２）                                ２．０質量部
Ｎ−アシルアミノ酸系界面活性剤（Ｅ１）                          ７．８質量部
Ｎ−アシルアミノ酸系界面活性剤（Ｅ２）                          ２．４質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          ０．８質量部
水                                                  残余（全量１００質量部）
【０１０９】
上記各成分を配合し、処方例３の洗浄剤組成物（シャンプー）を調製した。このシャンプーは、外観の濁りや分離がなく、粘度は１１２０ｍＰａ・ｓであった。
【０１１０】
（処方例４：シャンプー）
（ポリ）オキシアルキレンアルキルまたはアルケニルエーテルリン酸塩（Ａ１）
３．４質量部
両性界面活性剤（Ｂ２）                                          ３．８質量部
天然由来カチオン性ポリマー（Ｃ１）                              ０．５質量部
脂肪酸アルカノールアミド（Ｄ２）                                ２．０質量部
Ｎ−アシルアミノ酸系界面活性剤（Ｅ３）                          ２．５質量部
アニオン性界面活性剤（Ａ’１）                                  ７．９質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          ０．５質量部
水                                                  残余（全量１００質量部）
【０１１１】
上記各成分を配合し、処方例４の洗浄剤組成物（シャンプー）を調製した。このシャンプーは、外観の濁りや分離がなく、粘度は２９９０ｍＰａ・ｓであった。
【０１１２】
（処方例５：ボディシャンプー）
（ポリ）オキシアルキレンアルキルまたはアルケニルエーテルリン酸塩（Ａ１）
３．４質量部
両性界面活性剤（Ｂ３）                                          ３．８質量部
天然由来カチオン性ポリマー（Ｃ１）                              ０．３質量部
脂肪酸アルカノールアミド（Ｄ２）                                ２．０質量部
Ｎ−アシルアミノ酸系界面活性剤（Ｅ１）                          ７．８質量部
Ｎ−アシルアミノ酸系界面活性剤（Ｅ２）                          ２．４質量部
水溶性高分子（ヒドロキシプロピルメチルセルロース）              ０．３質量部
グリセリン                                                      ５．０質量部
ｐＨ調整剤（クエン酸）                                          ０．８質量部
水                                                  残余（全量１００質量部）
【０１１３】
上記各成分を配合し、処方例５の洗浄剤組成物（ボディシャンプー）を調製した。このシャンプーは、外観の濁りや分離がなく、粘度は１３５０ｍＰａ・ｓであった。
【０１１４】
（処方例６：シャンプー）
（ポリ）オキシアルキレンアルキルまたはアルケニルエーテルリン酸塩（Ａ１）
４．５質量部
アニオン性界面活性剤（Ａ’２）                                  ６．８質量部
両性界面活性剤（Ｂ１）                                          ３．８質量部
天然由来カチオン性ポリマー（Ｃ１）                              ０．５質量部
脂肪酸アルカノールアミド（Ｄ１）                                １．０質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          ０．２質量部
水                                                 残余（全量１００質量部）
【０１１５】
上記各成分を配合し、処方例６の洗浄剤組成物（シャンプー）を調製した。このシャンプーは、外観の濁りや分離がなく、粘度は１１００ｍＰａ・ｓであった。
【０１１６】
（処方例７：シャンプー）
（ポリ）オキシアルキレンアルキルまたはアルケニルエーテルリン酸塩（Ａ３）
１１．３質量部
両性界面活性剤（Ｂ２）                                          ３．８質量部
天然由来カチオン性ポリマー（Ｃ１）                              ０．５質量部
脂肪酸アルカノールアミド（Ｄ３）                                ２．０質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          １．０質量部
水                                                  残余（全量１００質量部）
【０１１７】
上記各成分を配合し、処方例７の洗浄剤組成物（シャンプー）を調製した。このシャンプーは、外観の濁りや分離がなく、粘度は１０００ｍＰａ・ｓであった。
【０１１８】
（処方例８：シャンプー）
（ポリ）オキシアルキレンアルキルまたはアルケニルエーテルリン酸塩（Ａ３）
３．４質量部
両性界面活性剤（Ｂ２）                                          ３．８質量部
天然由来カチオン性ポリマー（Ｃ１）                              ０．５質量部
脂肪酸アルカノールアミド（Ｄ３）                                ２．０質量部
アニオン性界面活性剤（Ａ’１）                                  ７．９質量部
防腐剤（フェノキシエタノール）                                  ０．１質量部
金属イオン封鎖剤（エチレンジアミン四酢酸２ナトリウム塩）        ０．１質量部
ｐＨ調整剤（クエン酸）                                          ０．５質量部
水                                                  残余（全量１００質量部）
【０１１９】
上記各成分を配合し、処方例８の洗浄剤組成物（シャンプー）を調製した。このシャンプーは、外観の濁りや分離がなく、粘度は１０００ｍＰａ・ｓであった。